【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
遊技者による投入動作に基づいて、遊技媒体の投入処理を行う投入装置と、
前記各周回体の回転を開始させるべく操作され、その操作が前記投入装置による遊技媒体の投入処理が行われることにより有効とされる始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備えた遊技機において、
前記各周回体が停止し、前記表示窓から視認できる有効位置に停止された絵柄が特定絵柄である場合、特典の一部からなり次ゲームを前記投入装置による遊技媒体の投入処理を行わずして開始させることができる再遊技特典と、前記特典の残部からなり遊技者に利益を付与する利益付与特典とを含む複合特典を付与する複合特典付与手段を備えていることを特徴とする遊技機。
【請求項２】
複数種の絵柄が周方向に付された複数の周回体と、
前記各周回体について各絵柄のうち一部の絵柄を視認可能とする表示窓と、
遊技者による投入動作に基づいて、遊技媒体の投入処理を行う投入装置と、
前記各周回体の回転を開始させるべく操作され、その操作が前記投入装置による遊技媒体の投入処理が行われることにより有効とされる始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備えた遊技機において、
前記各周回体が停止し、前記表示窓から視認できる有効位置に停止された絵柄が特定絵柄である場合、次ゲームを前記投入装置による遊技媒体の投入処理を行わずして開始させることができる再遊技特典と、遊技者に利益を付与する利益付与特典とを含む複合特典を付与する複合特典付与手段を備えていることを特徴とする遊技機。
【請求項３】
通常遊技状態である第１状態と、その第１状態よりも遊技者に有利な状態である第２状態とを切り替える状態切替手段を備え、前記駆動制御手段は、前記第２状態中に前記有効位置に前記特定絵柄が停止し得るようにかつ前記第１状態中には前記特定絵柄が停止しないように各駆動手段を駆動制御することを特徴とする請求項１又は請求項２に記載の遊技機。
【請求項４】
通常遊技状態である第１状態と、その第１状態とは絵柄に応じた特典付与内容を異ならせる第２状態とを切り替える状態切替手段を備え、前記第２状態にある場合にのみ前記特定絵柄を複合特典の付与対象絵柄として設定したものであることを特徴とする請求項１又は請求項２に記載の遊技機。
【請求項５】
前記第２状態を発生させるか否かを内部抽選する第２状態抽選手段を備え、その第２状態抽選手段により当選された場合に前記第２状態に切り替えられるものであることを特徴とする請求項３又は請求項４に記載の遊技機。
【請求項６】
前記表示窓から視認できる有効位置に前記絵柄によって形成される契機絵柄が成立した場合に、前記第２状態を発生させるものであることを特徴とする請求項３乃至請求項５のいずれかに記載の遊技機。
【請求項７】
前記第２状態にあることを報知する報知手段を前記周回体とは別に備えたことを特徴とする請求項３乃至請求項６のいずれかに記載の遊技機。
【請求項８】
複数種の絵柄が周方向に付された複数の周回体と、
前記各周回体について各絵柄のうち一部の絵柄を視認可能とする表示窓と、
遊技者による投入動作に基づいて、遊技媒体の投入処理を行う投入装置と、
前記各周回体の回転を開始させるべく操作され、その操作が前記投入装置による遊技媒体の投入処理が行われることにより有効とされる始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備えた遊技機において、
前記表示窓から視認できる有効位置へ停止させる絵柄の内部抽選を行う抽選手段を備え、前記駆動制御手段はその抽選手段によって当選した絵柄を前記有効位置に停止させるべく前記各駆動手段を駆動制御するものであり、
前記駆動制御手段の制御状態を、前記抽選手段により当選していない非当選絵柄が前記有効位置に配置されたタイミングで前記停止操作手段が操作された場合に有効位置から排除できる程度に停止タイミングを遅らせることができる第１状態と、少なくとも特定の周回体に関しては前記排除ができない程度にしか停止タイミングを遅らせることができない第２状態とに切り替える状態切替手段を備え、
前記第２状態においては前記特定の周回体において単独特定絵柄が有効位置に停止すると遊技者に利益を付与する単独特典を付与し、その単独特定絵柄とともに他の周回体における所定絵柄との組合せとして構成される組合せ特定絵柄が有効位置に停止すると次ゲームを前記投入装置による遊技媒体の投入処理を行わずして開始させることができる再遊技特典を前記単独特典に複合させて付与することを特徴とする遊技機。
【請求項９】
複数種の絵柄が周方向に付された複数の周回体と、
前記各周回体について各絵柄のうち一部の絵柄を視認可能とする表示窓と、
遊技者による投入動作に基づいて、遊技媒体の投入処理を行う投入装置と、
前記各周回体の回転を開始させるべく操作され、その操作が前記投入装置による遊技媒体の投入処理が行われることにより有効とされる始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備えた遊技機において、
前記表示窓から視認できる有効位置へ停止させる絵柄の内部抽選を行う抽選手段を備え、前記駆動制御手段はその抽選手段によって当選した絵柄を前記有効位置に停止させるべく前記各駆動手段を駆動制御するものであり、
前記駆動制御手段の制御状態を、前記抽選手段により当選していない非当選絵柄が前記有効位置に配置されたタイミングで前記停止操作手段が操作された場合に有効位置から排除できる程度に停止タイミングを遅らせることができる第１状態と、特定の周回体に関しては前記排除ができない程度にしか停止タイミングを遅らせることができない第２状態とに切り替える状態切替手段を備え、
前記第２状態においては前記特定の周回体において単独特定絵柄が有効位置に停止すると遊技者に利益を付与する単独特典を付与し、その単独特定絵柄とともに他の周回体における所定絵柄との組合せとして構成される組合せ特定絵柄が有効位置に停止すると次ゲームを前記投入装置による遊技媒体の投入処理を行わずして開始させることができる再遊技特典を前記単独特典に複合させて付与するように構成し、
前記再遊技を行うか否かの抽選を行う再遊技抽選手段を備え、前記第２状態において再遊技当選した場合でかつ有効位置に単独特定絵柄が停止される場合には前記組合せ特定絵柄が有効位置に停止されるように前記駆動制御手段により前記他の周回体が駆動制御されるように構成し、
更に、前記第２状態として、前記再遊技抽選手段による再遊技当選の確率が高い第１モードと、当該確率が低い第２モードとが切り替え選択されるように構成したことを特徴とする遊技機。